(57)【要約】  レコードプレーヤ用のトーンアームが直線トラッキングできるようにするのに使用するための装置、システム、および方法が提供される。このシステムは、トーンアームに対する３分割の可動接続部を有するジョイント部材と、ガイドスロットと、スライド可能なピボットベースとを含むことができ、トーンアームの後部ピボット位置は、スライド可能なピボットベース上にある。トーンアームの動きにより、ジョイント部材は、ガイドスロットの構成の機能として、スライド可能なピボットベースの位置を調節することができ、この相互作用の組み合わせは、トーンアームが実質的に直線トラッキングできるように組み合わされる。【選択図】図１０
2019517092.tif 000002
【特許請求の範囲】
【請求項１】
レコードを再生する際に使用するためのトーンアームトラッキングシステムにおいて、
トーンアームと、
ジョイント部材であって、前記トーンアームに移動可能に接続され、前記ジョイント部材のガイド部材をガイドするための非直線ガイドスロットを有するトラックに移動可能に接続され、前記ジョイント部材は前記トーンアームが後部ピボット位置に旋回可能に連結されたスライド可能なピボットベースにも連結部材によって接続され、ジョイント部材と
を備えた、トーンアームトラッキングシステム。
【請求項２】
前記ジョイント部材は、頂部水平延在ジョイント部材と底部水平延在ジョイント部材とを含み、前記連結部材は、前記頂部水平延在ジョイント部材と前記底部水平延在ジョイント部材との間で、前記ジョイント部材に旋回可能に連結された、請求項１に記載のトーンアームトラッキングシステム。
【請求項３】
前記トーンアーム上にピンチャンバと、前記ジョイント部材から延在して前記ピンチャンバ内で受けられるピンとをさらに備え、前記ピンチャンバは前記トーンアームに沿って長手方向に延在しており、スライド可能な前記ピボットベースに対して前記トーンアームを旋回させることによって、前記ピンは前記ピンチャンバ内で長手方向に移動可能である、請求項１に記載のトーンアームトラッキングシステム。
【請求項４】
前記ジョイント部材は、頂部水平延在ジョイント部材と底部水平ジョイント部材とを含み、前記ピンは前記頂部水平延在ジョイント部材に対して固定位置から上方に延在している、請求項３に記載のトーンアームトラッキングシステム。
【請求項５】
前記固定位置は、前記頂部水平延在ジョイント部材の前方部上にあることを特徴とする、請求項４に記載のトーンアームトラッキングシステム。
【請求項６】
前記ジョイント部材の後方部は、前記連結部材に旋回可能に接続された、請求項５に記載のトーンアームトラッキングシステム。
【請求項７】
スライド可能な前記ピボットベースは、前記ジョイント部材によって前記連結部材に加えられた圧力に応じて、後方向および前方向にスライド可能であり、前記連結部材はスライド可能な前記ピボットベースから長手方向後方に延在する、請求項１に記載のトーンアームトラッキングシステム。
【請求項８】
前記ジョイント部材は、上部構造的特徴及び下部構造的特徴を含み、前記構造的特徴は分離され、前記連結部材の後方部は、前記連結部材の後方部分が、前記上部構造的特徴および前記下部構造的特徴のうちの少なくとも１つの後方部に旋回可能に接続される、上部構造的特徴およびより低い構造的特徴を有する、請求項１に記載のトーンアームトラッキングシステム。
【請求項９】
前記連結部材は、前記上部構造的特徴と前記下部構造的特徴との間で延在する、請求項８に記載のトーンアームトラッキングシステム。
【請求項１０】
前記ガイドスロットは湾曲しており、前記ガイド部材は、前記ジョイント部材の下部構造要素から前記ガイドスロット内に下方に延在しており、前記ジョイント部材は、前記下部構造的特徴から離間した上部構造特徴をさらに備え、前記ピンは前記上部構造的特徴から前記トーンアームまで上方に延びている、請求項１に記載のトーンアームトラッキングシステム。
【請求項１１】
直線に追従するようにトーンアームをガイドする方法において、
前記トーンアームの針に圧力を加え、
圧力に応じてジョイント部材を移動させ、前記ジョイント部材は、非直線形状を有するガイドスロットに移動可能に接続され、前記ジョイント部材は、前記トーンアームが旋回可能に接続されたスライド可能なピボットベースに移動可能に接続された、方法。
【請求項１２】
前記圧力に応じて前記ジョイント部材のピンを前記トーンアーム内で移動させることをさらに含む、請求項１１に記載の方法。
【請求項１３】
前記ジョイント部材は、連結部材に接続されることによって、前記ピボットベースに移動可能に接続され、これにより前記ピボットベースに接続された、請求項１１に記載の方法。
【請求項１４】
前記トーンアームの針に加わった前記圧力に応じて、前記連結部材に対して前記ジョイント部材を旋回させることをさらに含む、請求項１３に記載の方法。
【請求項１５】
前記ジョイント部材は、上部ジョイント部材および下部ジョイント部材を含み、前記連結部材は、前記上部ジョイント部材と前記下部ジョイント部材との間で前記ジョイント部材に接続された、請求項１４に記載の方法。
【請求項１６】
前記針に加えられた前記圧力に応じて前記ガイドスロット内のガイド部材を移動させることをさらに含み、前記ガイドスロットは、前記スロットの少なくとも側部よりもさらに前方に配置された横方向中央部を有する、請求項１３に記載の方法。
【請求項１７】
前記ガイド部材を前記スロットの前記横方向中央部から前記スロットの前記側部に移動させることをさらに含む、請求項１６に記載の方法。
【請求項１８】
前記スロットの前記横方向中央部から前記スロットの前記側部への前記ガイド部材の前記移動に機械的に応答して、スライド可能な前記ピボットベースを押すことをさらに含む、請求項１７に記載の方法。
【請求項１９】
前記ガイド部材を前記スロットの前記側部から前記スロットの前記横方向中央部に移動させることをさらに含む、請求項１６に記載の方法。
【請求項２０】
前記スロットの前記側部から前記スロットの前記横方向中央部への前記ガイド部材の前記移動に機械的に応答して、スライド可能な前記ピボットベースを引っ張ることをさらに含む、請求項１９に記載の方法。
【発明の詳細な説明】
【技術分野】
【０００１】
本出願は、参照によりその全体が本明細書に組み込まれる、２０１６年５月４日に出願された米国仮特許出願第６２／３３１，９３２号の優先権を主張する。
【０００２】
本出願は、プレイ中にレコード上の針の接線（直線）トラッキングを提供するのを補助するために、レコードプレーヤ／蓄音機と共に使用するための装置、方法、およびシステムに関する。
【背景技術】
【０００３】
レコードプレーヤは、通常、固定ピボット軸の周りに水平／横方向にスイングするトーンアームを有するターンテーブルシステムを備える。固定ピボット軸は、典型的には、ターンテーブルシステムのレコードの周囲に隣接して配置されている。トーンアームの針は、典型的には、図１（従来技術）に示すように、レコード内の溝を追跡するときに円弧を通って移動する。
【発明の概要】
【発明が解決しようとする課題】
【０００４】
しかしながら、一般に受け入れられているように、針は、レコードの面を、再生中にレコード溝内を、円弧ではなく、横切って、一貫した接線経路に、または直線トラッキング経路（例えば、同心の溝部分に対して）に近づけて、半径方向内向きに移動するにつれて、単一半径経路を移動することが望ましい。同様に一般に受け入れられているように、このような直線トラッキングの欠如は、トラッキング歪み、および針とレコードの溝の壁との間の摩擦力（例えば、「スケート力」）のために、針側の望ましくない針／溝側の圧力を生じ得る。
【０００５】
さらに、レコード溝内での針の動きの直線トラッキングの欠如は、レコード溝の反対側同士に別々のオーディオチャンネルを含むステレオ録音にとって特に望ましくないことがある。すなわち、直線トラッキングの欠如は、溝の不平衡な側圧の結果としてオーディオバランスを乱す可能性がある。
【０００６】
いくつかの従来のトーンアームは直線トラッキングを提供または直線トラッキングに近づけるが、それらはしばしば非常に複雑であり（関連する費用を増加させる）、または所望の目標を達成しない。
【課題を解決するための手段】
【０００７】
いくつかの実施形態では、レコードを再生する際に使用するためのトーンアームトラッキングシステムが提供され、トラッキングシステムは、トーンアームと、トーンアームに移動可能に接続されるとともに、ジョイント部材のガイド部材をガイドするための非直線ガイドスロットを有するトラックに移動可能に接続されたジョイント部材とを備えている。ジョイント部材は、連結部材によって、トーンアームの後部ピボット位置で旋回可能に接続されたスライド可能なピボットベースに接続されることもできる。ジョイント部材と、トーンアーム、ガイドスロット、およびピボットベースとの間のこれら３つの別個の接続により、トーンアームが旋回されると、これはジョイント部材が移動してガイドスロットによってガイドされ、これによりスライド可能なピボットベースを押すまたは引くようになっている。したがって、様々な実施形態において、スライド可能なピボットベース上のトーンアームの後部ピボット位置は、ガイドスロット構造の機能として移動する。本開示を検討した当業者によって理解されるように、本開示の様々な付随する構成要素と同様に、ガイドスロット構成は、レコードの再生中のトーンアーム構成の位置を制御するように選択的に構成されることができ、実質的な直線トラッキングを与える。
【０００８】
本開示のトーンアームトラッキングシステムおよびアセンブリを使用するための様々な方法も提供される。
【図面の簡単な説明】
【０００９】
【図１】従来技術のターンテーブルシステムのレコードおよびトーンアームアセンブリの上から見た平面図である。
【図２】本開示のいくつかの実施形態のためのレコードおよびトーンアームアセンブリの上から見た平面図である。
【図３ａ】図２のレコード及びトーンアームアセンブリの、トーンアームシステムの一部として組み立てられた、斜視図である。
【図３ｂ】図３ａのレコード及びトーンアームアセンブリの拡大部分斜視図である。
【図４】本開示の代替の実施形態のためのトーンアームシステムの一部として組み立てられた、レコードおよびトーンアームアセンブリの部分斜視図である。
【図５】図５ａ乃至図５ｃは、本開示のいくつかの実施形態のおける、トーンアームシステムのレコードおよびトーンアームアセンブリ（レーザのビームレシーバ／ビームスプリッタが示されていない）の上から見た平面図であり、図５ａ、図５ｂ、および図５ｃの各々は、トーンアームの異なるピボット位置を示している。
【図６】本開示のいくつかの実施形態の異なる旋回位置での、図５ａ乃至５ｃの電磁石アセンブリを有するトーンアームの上から見た拡大された平面図を示し、
【図７】図７ａ乃至図７ｃは、異なる旋回位置における、図５ａ乃至図５ｃのトーンアームの後部の単純化された上から見た図を示すとともに、本開示のいくつかの実施形態における安定化磁石も示す。
【図８】レーザまたは電磁石アセンブリに依存しない、本開示のいくつかの実施形態のための機械的に作動する直線トラッキングシステムを含む、レコードおよびトーンアームアセンブリを示す単純化された上から見た平面図である。
【図９】図８のトラッキングシステムの斜視図である。
【図１０】図８のトラッキングシステムの拡大側方斜視図である。
【図１１】ジョイント部材、連結部材、およびガイドスロットの平面図が見えるように、トーンアーム延長部材が取り外された、図８のトラッキングシステムの上から見た拡大部分平面図である。
【図１２】トーンアーム延長部材のピンチャンバがはっきりと見えるように、様々な構成要素が示されていない、図８のトラッキングシステムの拡大部分底面図である。
【発明を実施するための形態】
【００１０】
本明細書では、本開示の様々な実施形態の完全な理解を提供するために、特定の詳細が示されている。しかしながら、本開示を検討すると、当業者は、本明細書に開示された様々な実施形態が、これらの詳細の多くがなくても実施できることを理解するであろう。他の例では、ターンテーブル構成要素、電子オーディオ構成要素、およびレコードに関連するいくつかの周知の構造および材料は、本開示の実施形態の説明を不必要に不明瞭にすることを避けるために詳細には説明していない。
【００１１】
本開示において、「約」および「およそ」という用語が使用される限り、他に示されていない限り、示された範囲、値、または構造の±２０％を意味する。本明細書では、本明細書で使用される用語「ａ」および「ａｎ」は、列挙された構成要素の「１つまたは複数」を指す。代替物（例えば、「または」）の使用は、代替物の１つ、その両方、またはそれらの任意の組み合わせを意味すると理解されるべきである。本明細書で使用する用語「含む（ｉｎｃｌｕｄｅ）」および「備える（ｃｏｍｐｒｉｓｅ）」は同義語として使用され、その用語および変形は非限定的であると解釈されることが意図される。この段落内の定義は、他に明示的に述べられていない限り、本開示を通じて適用されることが意図されている。
【００１２】
図２は、本開示のいくつかの実施形態のために、直線トラッキングを実現するための、新しくかつ新規性を有するレーザーガイド式トーンアームシステムを使用する、トーンアーム８およびレコード５を含む、ターンテーブルシステム２の一部の平面図を示す。１つのトーンアーム８のみが図２に示されるように意図されているが、それは３つの異なる位置、中央位置、およびその左側および右側の旋回位置に示されている。
【００１３】
また、図３ａおよび３ｂは、本開示のターンテーブルシステム２の実施形態の斜視図および拡大部分斜視図をそれぞれ示している。いくつかの実施形態では、トーンアーム８は、少なくとも２つの旋回位置、すなわち、ヘッドカートリッジ１０に近いフロントピボット２６と、垂直ベースプレート２７に近接したリアピボット２８とを有する。トーンアーム８上のピボット部材またはピボットは、本開示を参照した当業者には理解されるように、様々な選択肢（例えば、ピボットピンまたは他のもの）の中から選択して構成されることができる。
【００１４】
図２及び図５ａ乃至図６に示すように、本開示のいくつかの実施形態では、カートリッジ１０の針７がレコード６の面上でレコード溝（図示せず）を追従するので、トーンアーム８は、リアピボット２８の周りで中心スピンドル４に向かって横方向内向きに揺れる／旋回することができ、カートリッジ１０を含むトーンアーム８の前部２９は、トーンアーム８の残りの部分に対して前部ピボット２６の周りを旋回（左／右に揺れる）することができる。トーンアーム８は、２つの平行な延長部材８’を含み、ピボット２６，２８の各々は、対応する各延長部材８’上に１つずつ、１対のピボット接続を含むことができる。
【００１５】
図３ａ乃至図３ｃに最も良く示すように、レーザ源２２は、トーンアーム８の前部２９に接続されることができる。レーザ源２２は、軸線方向レーザービーム２１は、カートリッジ１０を含むトーンアーム８の前端に向かって前方に進むレーザ源から放出され、その後、軸方向レーザービーム２１は、トーンアーム８の前部２９の長手方向軸から横方向外側に（例えば、９０度の角度で）離れるように屈折ミラー２４によって屈折されるように、トーンアーム８の前部２９の長手方向に配列されていてもよい。図３ｂおよび図３ｃに最も良く示されているように、屈折されたレーザービーム１２は、レシーバハウジング１８に形成されたレシーバの窓または開口１８’に入り、ターンテーブル２の回転レコードの周囲から離れて配置され、レシーバのビームスプリッタ１４（例えば、ミラーまたはプリズム）の縁部に作用する。例えば、ビームスプリッタ１４は、屈折されたレーザービーム１２に面する頂点エッジで収束する対向する屈折側壁を有することができ、ビーム１２を、ビームスプリッタ１４（例えば、図３ｃを参照）の反対側にある反対のセンサ１６に向かう２つの成分に分割することができる。反対のセンサ１６への光の強度／配分の差は、次に、電磁石アセンブリ３０における磁界を調整する際に使用するための電気信号に変換される。
【００１６】
図３ａ、図６、図７ａ、および図７ｂに示すように、電磁石アセンブリ３０は、第１の引力／反発構成要素３２と、第２の引力／反発構成要素３４とを備えることができ、それぞれの構成要素は互いに対する力を放出するように構成されている。いくつかの実施形態では、構成要素間に働く電磁力は、レシーバハウジング１８内のセンサ１６で検知される光の強度の差の関数として（例えば、比例して）構成される。例えば、いくつかの実施形態では、付勢構成要素（例えば、ばね）３２’は、構成要素３２，３４を、初期状態で互いに向けて付勢させることができ、電磁力は、受信された信号の作用により構成要素３２，３４を離すように構成されていてもよく、付勢部材の力に打ち勝つようになっている。代替的に、別の実施形態では、付勢構成要素は、構成要素３２，３４を初期状態で互いに対して離れるように付勢されて構成されることができ、電磁力は、受け取った信号の作用として構成要素を互いに向けて引き寄せるように構成されていてもよく、付勢部材の力に打ち勝つようになっている。最後に、代替的に、いくつかの実施形態では、構成要素を互いに向けるようにまたは離すように付勢する付勢部材は設けられず、構成要素間の距離は、本開示を参照した当業者に理解されるであろう、離れさせるおよび／または引き寄せる電磁力（例えば、反転極性）により制御されていてもよい。
【００１７】
上述の実施形態の全てにおいて、トーンアーム８の後部ピボット２８は、ベース２７（これは垂直ベースプレートであってもよい）に固定して取り付けられ、これは次に、第２の構成要素３４に取り付けられ、垂直ベースプレート２７および第２の構成要素３４の両方は、ターンテーブルのレコード５に向かうように、および離れるように（例えば、図２および図６の矢印「Ａ」の方向に）スライド自在に移動可能であり、第１の構成要素３２の位置は固定されることができる。このようにして、構成要素３２，３４を互いに対して移動させるために、上述の電磁力の調整は、必要に応じて後部ピボット２８を矢印「Ａ」の方向に移動させて、本開示を参照した当業者には直ちに理解されるように、針の直線的なトラッキングに近づけるために、ヘッドカートリッジ内における針の固定された直線的な半径経路を維持させることができる。
【００１８】
すなわち、例えば図５ａに示すように、レコード６が時計回り方向に回転され、針が溝をたどるとき、前部２９は、針の後ろを追従する前部２９の長手方向軸「Ｌ」がトラッキングされている円形溝の接線と整列するように、後部ピボット２８から引き離す自然な傾向を有し、長手方向軸はその追従位置で浮動することができる。その場合、前部２９の長手方向軸「Ｌ」は、針の直線的な半径経路「Ｒ」に対して９０度のままであり、前部ピボット２６と直線的な半径経路「Ｒ」上の最も近い点との間の距離は、針の移動全体にわたって同じままである。前方ピボット２６と直線的な半径経路「Ｒ」との間の距離を一定の値に維持するために、後方ピボット２８は、前方ピボット２６の位置の作用として移動しなければならない。上述のように、本開示の様々な実施形態では、後方ピボット２８の移動は、屈折されたレーザービーム１２によって提供されたフィードバック信号に基づいて間接的に達成される。すなわち、センサ１６の間で等しい光強度を維持するように構成要素３２，３４間の電磁力を調整することにより、後部ピボット２８が矢印「Ａ」の方向にスライドし、前部ピボット２６が直線的な半径経路「Ｒ」から一定の距離を維持するように、およびこれにより前部２９の長手方向軸「Ｌ」が接線内にとどまって、接線（直線）トラッキングを可能にする。
【００１９】
本開示のいくつかの実施形態では、図２および３ａに最もよく示されるように、トーンアームの一対の後部長手方向部材（延長部材８’の後部部分）の各後部にカウンタウエイトが設けられている。また、いくつかの実施形態では、図４乃至６、特に、図７ａ乃至７ｃに示すように、延長部材８’の後部は、安定化磁石を含むことができる。カートリッジの軸とピボット位置との間のオフセットにより、針上の摩擦は、トーンアームを横方向内側または外側に引き寄せる傾向があり、音のバランスを歪ませ、針の不均一な摩耗を引き起こし得る。図７ａ乃至７ｃは、第１の延長部材８’の後部に第１の磁石１１ａが設けられ、第２の磁石１１ｂおよび第３の磁石１１ｃが第２の延長部材８’の平行で横方向に反対どうしの後部に設けられた本開示の実施形態を示している。第２の延長部材８’を含む第１のマグネット１１ａは、第１の延長部材および第２の延長部材８’が図７ｂに示すようにピボット固定されていないときに、第２のマグネットと第３のマグネットとの間の長手方向中間点に配列された長手方向位置に配置されている。したがって、このような実施形態では、図７ｂに示すように（例えば、図５ｂも参照）、延長部材８’がピボット固定されておらずかつ真っ直ぐ延びているときに、第１の磁石１１ａは、第２の磁石１１ｂおよび第３の磁石１１ｃからほぼ等距離にあり、第２の磁石１１ｂは、第１の磁石１１ａから前方にオフセットされており、第３の磁石１１ｃは、第１の磁石１１ａから後方にオフセットしている。また、いくつかの実施形態では、第１の磁石１１ａは、第２の磁石および第３の磁石の横方向内側に面する極に引き寄せられる横方向内向きの磁極を有し、これにより、等しい磁気成分力が、延長部材８’の旋回に対する相対的な位置を安定させるのを助けるために、第１の磁石の後方および前方の両方に付与されている。また、延長部材８’の前方部分が、図５ａおよび７ａに示すように、ターンテーブルの中心に向かってスピンドル４に向かって横方向に旋回されると、ピボット位置２８が両方の延長部材に固定されているので、延長部材８’の全体的な長手方向の整列はオフセットされ、したがって第１の磁石１１ａは第２の（前方）磁石１１ｂに近づくようにシフトして、延長部材８’のピボット位置を安定させるのを助けるために、第１および第２の（前方）磁石間に付与される引っ張り力は第１の磁石と第３の（前方）磁石との間の引っ張り力よりも大きくなる。反対の効果は、延長部材８’の前方部分がスピンドル４から離れるように横方向外側に旋回するときに付与されて、第１の磁石１１ａが第３の（後方）磁石１１ｃに近づくように長手方向にシフトするので、第１および第３の磁石間の引っ張り力は、第１および第２の磁石の間の引っ張り力よりも大きく、同様に全体的に延長部材８’（またはトーンアーム）の現在のピボット位置を安定させるのを助ける。この開示を参照した当業者には理解されるように、延長部材上の複数の磁石１１ａ、１１ｂ、１１ｃの構成は、トーンアーム８の位置に対するその安定化効果によりカウンタスケーティング（ｃｏｕｎｔｅｒ  ｓｋａｔｉｎｇ）を助けることができる。
【００２０】
いくつかの実施形態では、本開示のトーンアームアセンブリ（例えば、レーザ源および電磁気アセンブリを備えたトーンアーム８、および（ビームスプリッタおよびセンサを有する）レシーバ）は、ユーザによって、既存のターンテーブル２上にレシーバハウジング１８と共に取り付けられることができる。この場合、トーンアーム８およびレシーバハウジング１８は較正を必要としていてもよい。図３ｂに示すように、いくつかの実施形態では、レシーバハウジング１８内に、レシーバハウジング１８をレコードスピンドル４に整列させるために使用可能な較正レーザービーム２０を放出することができる、較正レーザが設けられている。例えば、ビームスプリッタ１４は、ユーザが較正レーザを作動させて、較正レーザービーム２０をターンテーブルの中心スピンドル４に、ターンテーブルの接線に対して９０度の角度で接触させ、対称的なビームスプリッタ１４は、屈折されたレーザ１２が頂点エッジを通ってそれを二分するときに、トーンアーム８上の針が直線的な半径経路「Ｒ」に沿って移動するように位置合わせされるように配置され得るように、レシーバハウジング１８内に配置されることができる。
【００２１】
図３ａおよび図３ｂに示すように、いくつかの実施形態では、トーンアーム８の一部の長さを調節する際に使用するために、トーンアーム調節部材１７が設けられている。調節は、調整部材１７を回転させて、トーンアーム８シャフトの各延長部材８’の前部８’’をその中間部分８’’’に対して緩め、それぞれの部分８’’，８’’’を、使用者が、トーンオイル８の全長を短くまたは長くするために、入れ子式に伸縮自在に互いに対してスライドすることを含んでもよい。例えば、本開示を参照した当業者によって理解されるように、トーンアーム８がターンテーブル上に設置される場合、レシーバハウジング８の位置が較正された後、再生されているレコードに沿った動きを通して、針が直線的な半径経路「Ｒ」上に載っているようにトーンアーム８の長さは調整されてもよい。
【００２２】
図４は、本開示のいくつかの実施形態の別の代替例を示しており、ビームスプリッタ１４上に受けたレーザービームは、事前に屈折されていないが、代わりに、カートリッジ１０の直前で、トーンアーム８の前部２９に取り付けられたレーザ源２２から直接放射される。そのような実施形態では、レーザ源２２は、前部２９の長手方向軸に対して９０度に整列した軸を有するガイドレーザービームを放出するように配置されることができる。そのようにして、このような実施形態では、屈折ミラーは不要である。また、そのような実施形態では、アライメントまたは較正ビーム２０は、別個の較正用光ハウジング２０’内に収容された別個の光源を介して提供されることができる。
【００２３】
さらに図４に示すように、この代替的なの実施形態では、レーザ源２２からの入射レーザ１２がリフレクタ１４’によって下方に屈折されてからビームスリッパ１４に入射する構成では、ビームスプリッタ１４の上方に配置されたリフレクタ１４’が設けられていても良く、ビームスプリッタ１４の頂端部が上を向いていることにより、下向きに屈折されたビーム２２に重なる。前述の実施形態と同様に、ビームスプリッタからの別れたビームは、制御信号が電磁石アセンブリ３０に送られる相対強度を決定するために、反対側のセンサ１６によって検出されることができる。
【００２４】
いくつかの実施形態では、使用者は、ベースプレート２７（電磁アセンブリ３０を含む）を有するトーンアーム８、レシーバ（レシーバハウジング１８に収容されることができるビームスプリッタおよび反対側のセンサ）、および（いくつかの実施形態では、レシーバと共にベース２３（例えば、図４を参照）上に共に搭載されることができる）較正レーザ源を備えた、ターンテーブルアセンブリを搭載させることができる。ターンテーブルアセンブリは、既存のターンテーブルシステムに搭載されて、従来技術のトーンアーム及びトンアームマウントをトーンアーム８及び電磁アセンブリ３０と置き換えることができる。
【００２５】
図８に示すように、いくつかの実施形態では、上述の電磁石アセンブリ３０を用いずに、レコード５とトーンアーム９のアセンブリが設けられている。機械的実施形態であるこの実施形態では、トーンアームは、代替的なトラッキングシステム４０によって制御されている。トラッキングシステム４０は、図５ａに関して上に示し説明したものと同様に、電磁アセンブリ３０とは異なる方法を除いて、半径経路「Ｒ」に沿った直線トーンアーム９のトラッキングを可能にする。すなわち、電磁力を調節して後部ピボットの位置を制御する代わりに、トラッキングシステム４０は機械的に相互作用する構成要素を使用して後部ピボットの位置を調節する。
【００２６】
図９乃至１２に示すように、トラッキングシステム４０は、長手方向にスライド可能なピボットブリッジ６４（またはピボットベース）上のピボット接続部６５によって、トーンアーム９のトーンアームフレーム部材９’’に接続される。トーンアーム９は、トーンアーム９がレコード内の溝を追従するのを可能にするために、必要に応じてレコードに平行な横方向平面内でピボット接続部を中心に旋回することができる。ピボットブリッジ６４のスライド可能な性質は、制御方法が独特であることを除いて、上述した方法と同様に、ピボット接続部６５（例えば、後部ピボット）を調節して、トーンアームの直線的なトラッキングを維持することを可能にする。連結部材５０がピボットブリッジ６４に接続されており、トーンアーム９の移動により連結部材５０が押されたり引かれたりされ、ピボットブリッジが前方または後方にそれぞれスライドする。一対のトーンアーム延長部材９’は、平行なトーンアームフレーム部材９’’から長手方向後方に延び、ピンチャンバ５４を含む少なくとも１つの延長部材９’’を有する（例えば、図１２の延長部材９’の底面図、および図９および１０の斜視図を参照）。ピンチャンバ５４は、ジョイント部材６０からピンチャンバ５４内に上方に延びるピン５２を受け、ジョイント部材６０は連結部材５０に旋回可能に接続されている。ピン５２は、ピンチャンバ５４内で長手方向にスライドするように、ピンチャンバ５４内で移動可能である。図１２に示すように、ピンチャンバ５４は、ピン５２が延長部材９’の下のジョイント部材６０からピンチャンバ５４内に延在し、ピンチャンバ５４内で長手方向に移動することができるように、ピン５２を横方向に受け入れるために、延長部材９’（またはトーンアーム９）の側部に側部開口５４’と、延長部材９’の底部に長手方向に延びる底部開口５４’’とを含んでいる。
【００２７】
図１０に最も良く示すように、ピボットジョイント部材６０は、連結部材５０の後端部に後部６０ａがピン等のピボット連結部材５６によって旋回可能に連結された長さを有し、連結部材５０自体が、その低い部分にて、ピボットブリッジ６４に固定されて接続されている。さらに、いくつかの実施形態では、ピボットジョイント部材６０は、頂部水平延在ジョイント部材６０ｂ（上部構造特徴）および底部水平延在ジョイント部材６０ｃ（下部構造特徴）を含み、頂部ジョイント部材６０ｂおよび底部ジョイント部材６０ｃは、その後端部６０ａ、６０ｄで、上下に延びるブリッジ部６０ｅにより、頂部水平延在ジョイント部材６０ｂに互いに接続されている。ピン５２は、その前方部分において、その後方端部６０ａの反対側で、ピン５２はそこから上方に延び、頂部水平延在ジョイント部材６０ｂに接続されている。また、後端部６０ｄとは反対側のその前部で、ピン等のガイド部材６０’が底部水平延在ジョイント部材６０ｃに接続されており、ガイド部材６０’は非直線トラック４６に形成されたガイドスロット４８内まで下方に延びている。スロット４８は、湾曲した横方向の長さを有することができる。すなわち、トラッキングシステムの左側からトラッキングシステムの右側に（図１１に対して）延びるその長さに湾曲部を有することができる。このように、（ピン状部材であってもよい）ガイド部材６０’の下端部は、（図１１に対して左から右に）横方向に延びる非直線のスロット４８内で横方向に移動できるように、ガイドスロット４８内にスライド可能にぴったりと収容されている。
【００２８】
いくつかの実施形態では、連結５０の後端部は、その後端部６０ａ、６０ｄにおいて、１つ以上のピボット接続部材５６によってジョイント部材６０に旋回可能に接続され、連結５０は、頂部水平延在ジョイント部材６０ｂと底部水平延在ジョイント部材６０ｃとの間に空間または隙間に配置されている。長手方向にスライド可能なピボットブリッジ６４は、連結部材５０に固定的に接続されてもよく、トーンアーム９はピボットブリッジ６４に旋回可能に接続されてもよい。トーンアーム９がレコード溝をたどるとき、ピボット接続部６５の周りで旋回し、ジョイント部材６０は、ピンチャンバ５４内のピン５２は、ピンチャンバ５４内でトーンアーム９の内壁に接触または当接するため、少なくとも１つのトーンアーム延長部材９’によって移動するように作動される。
【００２９】
例えば、トーンアーム９のカートリッジ上の針が（図１１および１２に対して）左から右に動くと、トーンアームはピボットブリッジ６４に対して旋回し、トーンアームの後部（例えば、延長部材９’）が右から左に移動する。次に、ピン５２が右から左に移動し、ピボットジョイント６０の前方部分も、旋回しない連結部材５０に対して、右から左に旋回する。これにより、湾曲したトラック４６によって画定された、湾曲したガイドスロット４８内で、ガイド部材６０’も右から左に移動させられる。図１０および１１に示すように、ガイドスロット構成４８は、その周壁４８’がスロット４８の後部中央または中心部に向かってさらに後方に延び、次いでスロットの横方向外側部分に延びる。また、ジョイント部材６０の前方部分から下方に延在するガイド部材６０’は、スロット４８の周囲壁４８’内にぴったりと嵌まることができる。従って、ガイド部材６０’がスロット４８の横方向長さ全体の中で右から左に移動またはスライドするとき、それは必然的に前後方向の運動成分を有し、連結部材５０は、連結部材５０に加えられる圧力に応じて矢印「Ａ」の方向にスライド可能である、スライド可能なピボットブリッジ６４の位置に浮動するので、それは次に連結部材５０を矢印「Ａ」の後方／前方に引っ張るか押すようになっている。
【００３０】
湾曲したスロット４８は、湾曲したスロット４８の横方向の部分よりも、その横方向の中央部分がレコードから長手方向にさらに後方に離れるように構成されているので、ピボットブリッジ６４上の後部ピボットまたはピボット接続６５は、上述の状態によりトーンアーム９の回転による機能として前方または後方を調節する。このように、スロット４８の湾曲は、トーンアーム９が連結部材５０に対してほぼ直線的な配列に達すると、平行延長部材９’の各々が配列されるように、連結部材５０が最も後方にあり、ピボットブリッジ６４も同様である。その後、カートリッジが右または左に移動し続けると、後部延長部材９’は、中央を外れたアライメントから右または左に移動し続け、その左側および右側で湾曲スロット４８が前方に湾曲していることにより、連結部材５０が前方に押し出される。
【００３１】
当業者には理解されるように、連結部材５０における押し込みおよび引っ張りの程度は、これらのパラメータの両方がジョイント部材６０の動きに影響を及ぼすことができるので、湾曲したガイドスロット４８およびピンチャンバ５４、およびこれ故に連結部材５０、の構成によって選択される。いくつかの実施形態では、湾曲したスロット４８、ピンチャンバ５４、およびトラッキングシステム４０の残りの部分は、トーンマーク９を動かすように構成され、本開示を参照した当業者には理解されるように、図２に示すレーザ制御されたトーンアームのためのカートリッジの動きと同様にカートリッジにおける直線的なトラッキングを可能にさせる。
【００３２】
さらに、本開示を参照した当業者には理解されるように、いくつかの実施形態では、トラッキングシステム４０は、延長部材９’の後部にて、図４乃至６、特に図７ａ乃至図７ｃ、に示すものと同じまたは実質的に同じな、安定化磁石を組み込むこともでき、そのように上述されている。
【００３３】
いくつかの実施形態では、ピン５２が逃げないようにガード部材７０（ワイヤガード）が設けられる。これは、トーンアームがレコード５から離れて位置するとき（停止時など）に起こる可能性があり、ピン５２がアームのピンチャンバ５４に戻るのを避けることを可能にする。
【００３４】
図面のすべてを含む、本明細書に記載された様々な実施形態は、特に明記しない限り、本開示の非限定的な例示的実施形態として提示されている。本開示を参照した後、当業者は、本発明の精神から逸脱することなく、いくつかの詳細および特徴を追加、削除、および／または変更できることを直ちに理解するであろう。「一実施形態」、「実施形態」、「追加の実施形態」、または「いくつかの実施形態」および類似の用語は、本明細書を通して、実施形態に関連して説明された特定の特徴、構造、または特性が、少なくとも１つまたはいくつかの実施形態に含まれるが、必ずしもすべての実施形態ではなく、参照が必ずしも同じ実施形態を参照するとは限らない。さらに、特定の特徴、構造、または特性は、１つまたは複数の実施形態において任意の適切な方法で組み合わせることができる。これらの変更および他の変更は、上記の詳細な説明に照らして実施形態に行うことができる。一般に、以下の特許請求の範囲において、使用される用語は、特許請求の範囲を明細書および特許請求の範囲に開示される特定の実施形態に限定するものと解釈されるべきではなく、そのような均等物の全範囲とともに可能なすべての実施形態を含むと解釈される。
【図１】
2019517092.tif 000003
【図２】
2019517092.tif 000004
【図３ａ．３ｃ】
2019517092.tif 000005
【図３ｂ】
2019517092.tif 000006
【図４】
2019517092.tif 000007
【図５】
2019517092.tif 000008
【図６】
2019517092.tif 000009
【図７ａ】
2019517092.tif 000010
【図７ｂ】
2019517092.tif 000011
【図７ｃ】
2019517092.tif 000012
【図８】
2019517092.tif 000013
【図９】
2019517092.tif 000014
【図１０】
2019517092.tif 000015
【図１１】
2019517092.tif 000016
【図１２】
2019517092.tif 000017
【国際調査報告】
2019517092.tif 000018